Podtech/llm-jp-corpus-v4-ja_patent huggingface dataset:
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記有利区間である旨を示唆する示唆手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記有利区間において第１有利状態と第２有利状態とに制御可能であり、
前記示唆手段は、前記有利区間のうちの前記第１有利状態および前記第２有利状態のいずれであるかに関わらず、一定の態様で当該有利区間である旨を示唆する、スロットマシン。
【手続補正２】
【補正対象書類名】明細書
【補正対象項目名】０００６
【補正方法】変更
【補正の内容】
【０００６】
上述したスロットマシンにおいては、好適に内部抽選を行うことについて鑑みられておらず、まだまだ改良の余地があった。
【手続補正３】
【補正対象書類名】明細書
【補正対象項目名】０００７
【補正方法】変更
【補正の内容】
【０００７】
この発明は、かかる実情に鑑み考え出されたものであり、その目的は、好適に内部抽選を行うスロットマシンを提供することである。
【手続補正４】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記有利区間である旨を示唆する示唆手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記有利区間において第１有利状態と第２有利状態とに制御可能であり、
前記示唆手段は、前記有利区間のうちの前記第１有利状態および前記第２有利状態のいずれであるかに関わらず、一定の態様で当該有利区間である旨を示唆する。
スロットマシンは、以下のように構成されてもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技用価値を消費することなく次の遊技の賭数を設定可能な再遊技表示結果を含む複数種類の表示結果のうちのいずれかの導出を許容する事前決定手段（たとえば、メイン制御部４１による内部抽選を実行する処理）と、
表示結果を導出させるために操作される導出操作手段（たとえば、ストップスイッチ８Ｌ，８Ｃ，８Ｒ）と、
前記事前決定手段の決定結果に基づいて、前記導出操作手段の操作態様に対応する操作情報（たとえば、ナビ情報）を報知不可能な通常区間から、前記操作情報を報知可能な有利区間に移行するか否かを決定する有利決定手段（たとえば、メイン制御部４１による有利区間当選の有無を決定する処理）と、
前記有利区間である旨を示唆する示唆手段（たとえば、有利区間ランプ１９によるメイン報知）とを備え、
前記示唆手段は、前記事前決定手段が前記再遊技表示結果の導出を許容する第１決定結果（たとえば、役番号４１のチェリーリプ１，役番号４０のチェリーリプ２）であることに基づいて前記通常区間から前記有利区間に移行したときと、前記事前決定手段が前記事前決定手段が前記再遊技表示結果とは異なる表示結果の導出を許容する第２決定結果（たとえば、役番号４８の中段チェリー１，役番号４７の中段チェリー２）であることに基づいて前記通常区間から前記有利区間に移行したときとで、前記有利区間である旨の示唆の開始タイミングを異ならせる（たとえば、図２０に示すように、チェリーリプ１に当選したときには次のゲームのための賭数設定が完了したタイミングｔ６でメイン報知が開始し、中段チェリー１に当選したときには第３停止操作が離されたタイミングｔ４でメイン報知が開始する）。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段と、を備え、
前記遊技制御手段は、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記有利区間である旨を示唆する遊技制御側示唆手段とを含み、
前記演出制御手段は、前記有利区間である旨を示唆する演出制御側示唆手段を含み、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記遊技制御側示唆手段は、前記有利区間において、一定の態様で当該有利区間である旨を示唆し、
前記演出制御側示唆手段は、前記有利区間において、複数の態様で当該有利区間である旨を示唆する、スロットマシン。
【手続補正２】
【補正対象書類名】明細書
【補正対象項目名】０００１
【補正方法】変更
【補正の内容】
【０００１】
本発明は、各々が識別可能な複数種類の識別情報を変動表示可能な可変表示部を備え、可変表示部を変動表示した後、可変表示部の変動表示を停止することで表示結果を導出し、該表示結果に応じて入賞が発生可能なスロットマシンに関する。
【手続補正３】
【補正対象書類名】明細書
【補正対象項目名】０００５
【補正方法】変更
【補正の内容】
【０００５】
上述したスロットマシンにおいては、好適に内部抽選を行うことについて何ら鑑みられていなかった。
【手続補正４】
【補正対象書類名】明細書
【補正対象項目名】０００６
【補正方法】変更
【補正の内容】
【０００６】
この発明は、かかる実情に鑑み考え出されたものであり、その目的は、好適に内部抽選を行うスロットマシンを提供することである。
【手続補正５】
【補正対象書類名】明細書
【補正対象項目名】０００７
【補正方法】変更
【補正の内容】
【０００７】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段と、を備え、
前記遊技制御手段は、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記有利区間である旨を示唆する遊技制御側示唆手段とを含み、
前記演出制御手段は、前記有利区間である旨を示唆する演出制御側示唆手段を含み、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記遊技制御側示唆手段は、前記有利区間において、一定の態様で当該有利区間である旨を示唆し、
前記演出制御側示唆手段は、前記有利区間において、複数の態様で当該有利区間である旨を示唆する。
遊技機は、以下のように構成されてもよい。
遊技を行う遊技機（たとえば、スロットマシン１，変形例のパチンコ遊技機）において、
遊技の進行を制御する遊技制御手段（たとえば、メイン制御部４１）と、
演出を制御する演出制御手段（たとえば、サブ制御部９１）とを備え、
前記遊技制御手段は、
通常区間から当該通常区間よりも有利な有利区間に制御するか否かを決定する有利決定手段（たとえば、メイン制御部４１による有利区間当選の有無を決定する処理）と、
前記有利区間である旨を遊技制御側ランプ（たとえば、有利区間ランプ１９）の点灯によって示唆する遊技制御側示唆手段（たとえば、メイン制御部４１によるメイン報知を行う処理）とを含み、
前記演出制御手段は、前記有利区間である旨を演出制御側ランプ（たとえば、ＣＺランプ５７やＡＴランプ５８）の点灯によって示唆する演出制御側示唆手段（たとえば、サブ制御部９１によるサブ報知を行う処理）を含み、
前記通常区間から前記有利区間への移行が決定した場合、前記遊技制御側ランプが点灯した後に、前記演出制御側ランプが点灯する（たとえば、図２０に示すように、タイミングｔ４でメイン報知が行われた後に、タイミングｔ６でサブ報知が行われる）。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記事前決定手段の抽選によって前記非移行カテゴリに割り当てられる決定結果となる確率は、遊技状態に応じて異なる、スロットマシン。
【手続補正２】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記事前決定手段の抽選によって前記非移行カテゴリに割り当てられる決定結果となる確率は、遊技状態に応じて異なる。
スロットマシンは、以下のように構成されてもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
特定表示結果（たとえば、強チェリー１〜３に対応する右上がりチェリーの図柄組合せ）と特別表示結果（たとえば、ＢＢの図柄組合せ）とを含む複数種類の表示結果のうちのいずれかの導出を許容する事前決定手段（たとえば、メイン制御部４１による内部抽選を実行する処理）と、
表示結果を導出させるために操作される導出操作手段（たとえば、ストップスイッチ８Ｌ，８Ｃ，８Ｒ）と、
前記導出操作手段の操作態様を報知可能な報知状態（たとえば、ＡＴ）に制御する報知状態手段（たとえば、メイン制御部４１によるＡＴに制御する処理）と、
前記事前決定手段によって前記特定表示結果の導出が許容されたことに基づき、前記報知状態への制御が通常状態（たとえば、通常区間）よりも高まる有利状態（たとえば、ＣＺ）に制御するか否かを決定する有利決定手段（たとえば、メイン制御部４１による有利区間当選の有無を決定する処理）と、
前記特別表示結果が導出されたときに特別状態（たとえば、ＢＢ）に制御する特別状態手段（たとえば、メイン制御部４１によるＢＢに制御する処理）と、
前記有利状態への制御が決定された旨を示唆する有利状態示唆手段（たとえば、メイン制御部４１によるメイン報知を実行する処理）とを備え、
前記事前決定手段の決定結果には、前記特別表示結果の導出が許容されるとともに前記特定表示結果の導出が許容される同時決定結果（たとえば、役番号３５のＢＢ＋強チェリー１、役番号３３のＢＢ＋強チェリー２、役番号３２のＢＢ＋強チェリー３）と、前記特別表示結果の導出が許容されることなく前記特定表示結果の導出が許容される非同時決定結果（たとえば、役番号４６の強チェリー１）とが含まれ、
前記有利状態示唆手段は、
前記事前決定手段の決定結果が前記非同時決定結果（たとえば、役番号４６の強チェリー１）でありかつ前記有利状態への制御が決定されたとき（たとえば、図１５（ｃ），（ｄ）に示すように、移行対象役の単独当選時に有利区間当選したとき）には、第１タイミング（たとえば、有利区間当選してから当該有利区間当選したゲームの次のゲームの賭数が設定されるまでの先報知タイミング）で当該有利状態への制御が決定された旨を示唆し、
前記事前決定手段の決定結果が前記同時決定結果（たとえば、役番号３５のＢＢ＋強チェリー１）でありかつ前記有利状態への制御が決定されたとき（たとえば、図１４（ａ），図１７（ｇ）に示すように、移行対象役とＢＢとの同時当選時に有利区間当選したとき）には、前記第１タイミング（たとえば、先報知タイミング）と当該第１タイミングよりも後の第２タイミング（たとえば、ＢＢの図柄組合せが導出された以降のいずれかの後報知タイミング）とを含む複数種類のタイミングのうちのいずれかで、当該有利状態への制御が決定された旨を示唆し（たとえば、図１２参照）、
前記事前決定手段の決定結果に対して予め順番（たとえば、役番号）が定められており（たとえば、図７参照）、
前記事前決定手段は、前記順番に従って表示結果の導出を許容するか否かを決定する（たとえば、内部抽選では役番号の大きい抽選対象役から優先的に当選するか否かが判定される）。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
表示結果を導出させるために操作される導出操作手段と、を備え、
前記遊技制御手段は、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記導出操作手段の操作態様に対応する操作情報を報知する報知手段と、
前記有利区間である旨をランプの点灯によって示唆する示唆手段とを含み、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記有利区間が終了するときでありかつ前記報知手段により前記操作情報が報知されている場合、当該報知手段による当該操作情報の報知が終了した後に、前記ランプが消灯する、スロットマシン。
【手続補正２】
【補正対象書類名】明細書
【補正対象項目名】０００６
【補正方法】変更
【補正の内容】
【０００６】
上述したスロットマシンにおいては、好適に内部抽選を行うことについて鑑みられていなかった。
【手続補正３】
【補正対象書類名】明細書
【補正対象項目名】０００７
【補正方法】変更
【補正の内容】
【０００７】
この発明は、かかる実情に鑑み考え出されたものであり、その目的は、好適に内部抽選を行うスロットマシンを提供することである。
【手続補正４】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
表示結果を導出させるために操作される導出操作手段と、を備え、
前記遊技制御手段は、
導出を許容する表示結果を抽選によって決定する事前決定手段と、
前記事前決定手段の決定結果に基づき、通常区間から当該通常区間よりも有利な有利区間に移行するか否かを決定する有利決定手段と、
前記導出操作手段の操作態様に対応する操作情報を報知する報知手段と、
前記有利区間である旨をランプの点灯によって示唆する示唆手段とを含み、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記有利区間が終了するときでありかつ前記報知手段により前記操作情報が報知されている場合、当該報知手段による当該操作情報の報知が終了した後に、前記ランプが消灯する。
スロットマシンは、以下のように構成されてもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技の進行を制御する遊技制御手段（たとえば、メイン制御部４１）と、
表示結果を導出させるために操作される導出操作手段（たとえば、ストップスイッチ８Ｌ，８Ｃ，８Ｒ）と、
前記導出操作手段の操作態様に対応する操作情報（たとえば、ナビ情報）を報知する報知手段（たとえば、メイン制御部４１によるナビを実行する処理）とを備え、
前記遊技制御手段は、
前記操作情報を前記報知手段によって報知不可能な通常区間と、前記操作情報を前記報知手段によって報知可能な有利区間とを含む複数種類の区間に制御する区間制御手段（たとえば、メイン制御部４１による通常区間や有利区間に制御する処理）と、
前記有利区間である旨を遊技制御側ランプ（たとえば、遊技補助表示器１２における第８セグメントのドット）の点灯によって示唆する遊技制御側示唆手段（たとえば、メイン制御部４１によるメイン報知を行う処理）とを含み、
前記有利区間が終了するときでありかつ前記報知手段により前記操作情報が報知されている場合、当該報知手段による当該操作情報の報知が終了した後に、前記遊技制御側ランプが消灯する（たとえば、図２１に示すように、第３停止操作が離されたタイミングｔ４で遊技補助表示器１２におけるナビが終了し、その後、タイミングｔ６で第８セグメントが消灯する）。
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、
遊技の進行を遅延させる遅延制御を行う遅延制御手段と、
前記有利区間である旨を示唆する示唆手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記示唆手段は、前記有利区間から前記通常区間に移行するときに、前記遅延制御が終了したタイミングで当該有利区間である旨の示唆を終了する、スロットマシン。
【手続補正２】
【補正対象書類名】明細書
【補正対象項目名】０００６
【補正方法】変更
【補正の内容】
【０００６】
上述したスロットマシンにおいては、好適に内部抽選を行うことについてまだまだ改良の余地があった。
【手続補正３】
【補正対象書類名】明細書
【補正対象項目名】０００７
【補正方法】変更
【補正の内容】
【０００７】
この発明は、かかる実情に鑑み考え出されたものであり、その目的は、好適に内部抽選を行うスロットマシンを提供することである。
【手続補正４】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を抽選によって決定する事前決定手段と、
前記事前決定手段の決定結果に基づき、通常区間から当該通常区間よりも有利な有利区間に移行するか否かを決定する有利決定手段と、
遊技の進行を遅延させる遅延制御を行う遅延制御手段と、
前記有利区間である旨を示唆する示唆手段と、を備え、
前記事前決定手段の決定結果は、複数のカテゴリに割り当てられ、
前記複数のカテゴリは、前記有利区間に移行する旨が決定されない前記事前決定手段の決定結果が割り当てられる非移行カテゴリと、前記有利区間に移行する旨が決定される前記事前決定手段の決定結果が割り当てられる移行カテゴリとを含み、
前記事前決定手段は、前記非移行カテゴリと前記移行カテゴリとのうちの一方のカテゴリに割り当てられる決定結果となるか否かの抽選を行った後、当該抽選によって当該一方のカテゴリに割り当てられる決定結果とならなかったときに、前記非移行カテゴリと前記移行カテゴリとのうちの他方のカテゴリに割り当てられる決定結果となるか否かの抽選を行い、
前記示唆手段は、前記有利区間から前記通常区間に移行するときに、前記遅延制御が終了したタイミングで当該有利区間である旨の示唆を終了する。
スロットマシンは、以下のように構成されてもよい。
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
表示結果を導出させるために操作される導出操作手段（たとえば、ストップスイッチ８Ｌ，８Ｃ，８Ｒ）と、
前記導出操作手段の操作態様に対応する操作情報（たとえば、ナビ情報）を報知不可能な通常区間と、前記操作情報を報知可能な有利区間とを含む複数種類の区間に制御する区間制御手段と、
遊技の進行を遅延させる遅延制御（たとえば、フリーズ）を行う遅延制御手段（たとえば、メイン制御部４１によるフリーズを行う処理）と、
前記有利区間である旨を示唆する示唆手段（たとえば、有利区間ランプ１９によるメイン報知）とを備え、
前記示唆手段は、
前記通常区間中の遊技において表示結果が導出されて前記遅延制御が行われ、当該遊技の次の遊技から前記有利区間に制御されるときには、当該表示結果が導出されたタイミングで前記有利区間である旨の示唆を開始し（たとえば、図１８に示すように、ＢＢ入賞に対応する７図柄揃いが導出されたタイミングｔ４でメイン報知が開始する）、
前記有利区間において表示結果が導出されて前記遅延制御が行われ、当該遊技の次の遊技から前記通常区間に制御されるときには、当該遅延制御が終了したタイミングで前記有利区間である旨の示唆を終了する（たとえば、図１９に示すように、フリーズが終了したタイミングｔ６でメイン報知が終了する）。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
刺激応答性ポリマーを含む刺激応答性層からの細胞シートの剥離性を調整する方法であって、前記刺激応答性ポリマーの量を減少させる工程を含む、方法。
【請求項２】
前記工程が、前記刺激応答性層に紫外線処理を施す工程である、請求項１に記載の方法。
【請求項３】
前記工程が、前記刺激応答性層に超音波処理を施す工程である、請求項１に記載の方法。
【請求項４】
前記刺激応答性ポリマーが、下限臨界溶液温度を有する温度応答性ポリマーである、請求項１〜３のいずれか１項に記載の方法。
【請求項５】
前記刺激応答性層の厚さが、０ｎｍ超１００ｎｍ以下である、請求項１〜４のいずれか１項に記載の方法。
【請求項６】
前記刺激応答性層が、基材上に形成されている、請求項１〜５のいずれか１項に記載の方法。
【請求項７】
請求項１〜６のいずれか１項に記載の方法により剥離性が調整された刺激応答性層上で細胞を培養して細胞シートを形成する工程を含む、細胞シートの製造方法。
【請求項８】
さらに、前記刺激応答性層に刺激を与えて前記細胞シートを剥がす工程、を含む、請求項７に記載の細胞シートの製造方法。
【請求項９】
細胞シートを形成するための細胞培養容器の製造方法であって、
刺激応答性ポリマーを含む刺激応答性層を形成する層形成工程と、
前記刺激応答性層中の前記刺激応答性ポリマーの量を減少させる剥離性調整工程と、
を含む、細胞培養容器の製造方法。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
刺激により細胞接着度合いが変化する刺激応答性領域と、
前記刺激応答性領域を取り囲むように前記刺激応答性領域に隣接して配置された細胞接着性を有する少なくとも１つの細胞接着性領域と、
を含むシート形成領域を有する細胞培養容器であって、
前記刺激応答性領域及び前記細胞接着性領域が隣接している境界部分である少なくとも１つの接着境界が存在し、
前記刺激応答性領域は、前記接着境界のそれぞれに接する連続した領域である、細胞培養容器。
【請求項２】
前記接着境界は、前記刺激応答性領域の外周付近に配置されている、請求項１に記載の細胞培養容器。
【請求項３】
前記接着境界が複数存在する、請求項１又は２に記載の細胞培養容器。
【請求項４】
前記接着境界が少なくとも４つ存在する、請求項１〜３のいずれか１項に記載の細胞培養容器。
【請求項５】
前記接着境界が１つのみ存在し、該接着境界の長さが、前記刺激応答性領域の外周の長さに対して０．７倍以上である、請求項１又は２に記載の細胞培養容器。
【請求項６】
前記刺激応答性領域が、刺激応答性ポリマーを含む刺激応答性層から構成され、
前記刺激応答性層が、基材上に形成されている、請求項１〜５のいずれか１項に記載の細胞培養容器。
【請求項７】
前記刺激応答性ポリマーが、下限臨界溶液温度を有する温度応答性ポリマーを含む、請求項６に記載の細胞培養容器。
【請求項８】
前記基材が細胞接着性を有し、前記細胞接着性領域が前記基材の表面から構成されている、請求項６又は７に記載の細胞培養容器。
【請求項９】
請求項１〜８のいずれか１項に記載の細胞培養容器で細胞を培養して細胞シートを形成する工程を含む、細胞シートの製造方法。
【請求項１０】
請求項９に記載の細胞培養容器を製造する方法であって、
前記細胞接着性を有する基材の上に前記刺激応答性層を形成する工程と、
前記刺激応答性層を部分的に除去して、前記基材を露出する工程と、
を含む、細胞培養容器の製造方法。
【手続補正書】
【提出日】令和2年3月6日(2020.3.6)
【手続補正１】
【補正対象書類名】明細書
【補正対象項目名】０００２
【補正方法】変更
【補正の内容】
【０００２】
電動工具の動作を制御するトリガースイッチの一種として、動作方向を切り替える切替スイッチを備えたトリガースイッチが普及している。切替スイッチを備えたトリガースイッチとして、例えば、特許文献１に示すような技術が開示されている。
【手続補正２】
【補正対象書類名】明細書
【補正対象項目名】００１４
【補正方法】変更
【補正の内容】
【００１４】
また、本願記載の切替スイッチにおいて、前記接点部材は、前記屈曲部と併せて枠状をなす枠状部を形成するように切り起こされた切り起こし部を有し、前記揺動部材は、軸部内で、前記屈曲部及び切り起こし部にて形成された枠状部に外嵌して前記接点部材を保持する保持部を有することを特徴とする。
【手続補正３】
【補正対象書類名】明細書
【補正対象項目名】００３１
【補正方法】変更
【補正の内容】
【００３１】
図６は、本願記載の切替スイッチ２の一部の断面の一例を拡大して示す概略拡大断面図である。図６は、図３（ａ）に示すＡ−Ｂ断面を、揺動部材２０の軸部２００及び接点部材２１の屈曲部２１０の関係が認識できるように拡大した概略拡大断面図である。揺動部材２０の軸部２００の内部には、接点部材２１の屈曲部２１０を嵌装する溝が刻設された保持部２００ａが形成されており、揺動部材２０の保持部２００ａに接点部材２１の屈曲部２１０及び切り起こし部２１０ａにて形成される枠状部を嵌め込むことにより、接点部材２１は揺動部材２０に保持される。保持部２００ａは、正面視略長方形状の溝を有し、略長方形状の溝に接点部材２１の屈曲部２１０及び切り起こし部２１０ａにて形成される枠状部が嵌め込まれ、接点部材２１の屈曲部２１０は、保持部２００ａの溝に内嵌する。即ち、揺動部材２０の保持部２００ａは、接点部材２１の屈曲部２１０及び切り起こし部２１０ａにて形成される枠状部に外嵌して接点部材２１を保持する。接点部材２１に、屈曲部２１０及び切り起こし部２１０ａを形成して略長方形の枠状部とすることにより、軸部２００内に略長方形状の保持部２００ａで保持することが可能となる。例えば、接点部材２１に切り起こし部２１０ａを形成しない場合、接点部材２１は、金属薄板にて形成されているため、嵌装するための溝は、細長く形成しなければならない。接点部材２１を保持する細溝が刻設された揺動部材２０を射出成形で形成する場合、成型コストの上昇を伴う可能性があるが、保持部２００ａに刻設する溝を細溝ではなく、長方形状とすることにより、成型が容易となるため、成型コストの上昇を抑制することが可能となる。揺動軸を中心軸とする揺動部材２０の保持部２００ａにより、接点部材２１を保持することにより、接点部材２１は、複数の可動接点２１１がそれぞれ揺動軸から異なる方向へ延びる状態で保持される。ここでいう複数の可動接点２１１が揺動軸から異なる方向へ延びるとは、可動接点２１１が延びる方向と揺動軸とがなす角度が、可動接点２１１毎に異なることを示すものである。
【手続補正４】
【補正対象書類名】明細書
【補正対象項目名】００４４
【補正方法】変更
【補正の内容】
【００４４】
図１４は、本願記載の切替スイッチ２の一部の断面の一例を拡大して示す概略拡大断面図である。図１４は、図１１（ａ）に示すＣ−Ｄ断面を、揺動部材２０の軸部２００及び接点部材２１の屈曲部２１０の関係が認識できるように拡大した概略拡大断面図である。揺動部材２０の軸部２００の内部には、接点部材２１の屈曲部２１０を嵌装する溝が刻設された保持部２００ａが形成されており、揺動部材２０の保持部２００ａに接点部材２１の屈曲部２１０及び切り起こし部２１０ａにて形成される枠状部を嵌め込むことにより、接点部材２１は揺動部材２０に保持される。保持部２００ａは、正面視略長方形状の溝を有し、略長方形状の溝に接点部材２１の屈曲部２１０及び切り起こし部２１０ａにて形成される枠状部が嵌め込まれ、接点部材２１の屈曲部２１０は、保持部２００ａの溝に内嵌する。即ち、揺動部材２０の保持部２００ａは、接点部材２１の屈曲部２１０及び切り起こし部２１０ａにて形成される枠状部に外嵌して接点部材２１を保持する。
【手続補正５】
【補正対象書類名】明細書
【補正対象項目名】００５８
【補正方法】変更
【補正の内容】
【００５８】
更に、前記実施形態では、揺動部材２０は、軸部２００内で、保持部２００ａが、屈曲部２１０及び切り起こし部２１０ａにて形成された枠状部に外嵌して接点部材２１を保持する形態を示したが、本発明はこれに限るものではない。例えば、軸部２００が、屈曲部２１０及び切り起こし部２１０ａにて形成された枠状部に内嵌することにより、接点部材２１を保持する等、様々な形態に展開することが可能である。
【手続補正６】
【補正対象書類名】特許請求の範囲
【補正対象項目名】請求項７
【補正方法】変更
【補正の内容】
【請求項７】
請求項６に記載の切替スイッチであって、
前記接点部材は、
前記屈曲部と併せて枠状をなす枠状部を形成するように切り起こされた切り起こし部を有し、
前記揺動部材は、
前記屈曲部及び切り起こし部にて形成された枠状部に外嵌して前記接点部材を保持する保持部を有する
ことを特徴とする切替スイッチ。
【手続補正７】
【補正対象書類名】図面
【補正対象項目名】図６
【補正方法】変更
【補正の内容】
【図６】
2019160490.tif 000001
【手続補正書】
【提出日】令和2年2月24日(2020.2.24)
【手続補正１】
【補正対象書類名】特許請求の範囲
【補正対象項目名】全文
【補正方法】変更
【補正の内容】
【特許請求の範囲】
【請求項１】
アノード（２１）に供給される燃料ガスと、カソード（２２）に供給される酸化剤ガスとの電気化学反応により発電する燃料電池本体（２）と、
原燃料ガスを改質して上記燃料ガスを生成する改質器（３）と、
上記改質器に供給される上記原燃料ガスが流れるガス供給流路（１１）と、
上記アノードから排出されるアノードオフガスが流れるガス排出流路（１２）と、
上記ガス排出流路と上記ガス供給流路とを接続する循環流路（４）と、
上記原燃料ガスを駆動流として上記循環流路から上記アノードオフガスを吸引し、上記ガス供給流路に循環させるエジェクタ（５）と、
上記原燃料ガスの供給源（１０、１０Ａ、１０Ｂ）から上記ガス供給流路へ供給される上記原燃料ガスの少なくとも一部を含み上記エジェクタを通過して上記駆動流を形成する駆動ガスの流量を調整する流量調整部（６）と、
上記供給源と上記エジェクタとの間に設けられ、上記エジェクタのノズル部（５１）に上記駆動ガスを送り込むブロア（７）と、を備えており、
上記流量調整部は、上記燃料電池本体の発電出力の変化量である発電出力変化量（ΔＱ）と、上記ブロアの駆動電力の変化量であるブロア電力変化量（ΔＷ）とをそれぞれ検出し、上記発電出力変化量と上記ブロア電力変化量との差（ΔＱ−ΔＷ）がより大きくなるように、上記駆動ガスの流量を調整する制御部（６１）を備える、燃料電池システム（１）。
【請求項２】
上記流量調整部は、上記供給源と上記エジェクタとを接続する駆動流路（１３）と、上記駆動流路と上記ガス供給流路とを接続する迂回流路（１４）と、上記迂回流路を流れる迂回流の流量を調整する流量調整弁（１５）と、を備える、請求項１に記載の燃料電池システム。
【請求項３】
上記原燃料ガスは燃料及び水を含み、上記駆動流路は、上記供給源としての原燃料ガス供給源（１０）に接続されると共に、上記迂回流路は、上記駆動流路から分岐して上記ガス供給流路に接続される、請求項２に記載の燃料電池システム。
【請求項４】
上記原燃料ガスは燃料及び水を含み、上記駆動流路は、上記供給源としての燃料供給源（１０Ａ）及び水供給源（１０Ｂ）に接続されると共に、上記迂回流路は、上記水供給源と上記駆動流路とを接続する流路から分岐して上記ガス供給流路に接続される、請求項２に記載の燃料電池システム。
【請求項５】
上記流量調整弁は、上記迂回流路への分岐部に設けられる、請求項３又は４に記載の燃料電池システム。
【請求項６】
上記流量調整部は、上記供給源と上記エジェクタとを接続する駆動流路（１３）と、上記駆動流路に上記ガス供給流路を流れる上記原燃料ガス又は上記改質器の下流の燃料ガス流路（１６）を流れる上記燃料ガスを導入するガス導入流路（１７）と、上記ガス導入流路を流れる導入ガスの流量を調整する流量調整弁（１８）と、を備える、請求項１に記載の燃料電池システム。
【請求項７】
上記原燃料ガスは燃料及び水を含み、上記駆動流路は、上記供給源としての燃料供給源（１０Ａ）に接続されると共に、上記供給源としての水供給源（１０Ｂ）と上記ガス供給流路とを接続する迂回流路（１４）と、を備える、請求項６に記載の燃料電池システム。
【請求項８】
上記制御部は、上記循環流路を通過する循環流量が、循環流量＞０を維持するように、上記駆動ガスの流量を調整する、請求項１〜７のいずれか１項に記載の燃料電池システム。
【請求項９】
上記制御部は、上記ノズル部を通過する上記駆動ガスの圧力が、圧力閾値を超えないように、上記駆動ガスの流量を調整する、請求項１〜８のいずれか１項に記載の燃料電池システム。
【請求項１０】
上記制御部は、上記発電出力変化量を、上記循環流路の流量に基づいて算出する、請求項１〜９のいずれか１項に記載の燃料電池システム。
【請求項１１】
上記制御部は、上記循環流路の流量を、上記循環流路の任意の２点間の圧力降下又は上記循環流路のガス組成に基づいて算出する、請求項１０に記載の燃料電池システム。
【請求項１２】
上記制御部は、上記ブロア電力変化量を、上記ブロアを通過するガスの流量及び圧力に基づいて算出する、請求項１〜１１のいずれか１項に記載の燃料電池システム。
【手続補正２】
【補正対象書類名】明細書
【補正対象項目名】０００８
【補正方法】変更
【補正の内容】
【０００８】
本発明の一態様は、
アノード（２１）に供給される燃料ガスと、カソード（２２）に供給される酸化剤ガスとの電気化学反応により発電する燃料電池本体（２）と、
原燃料ガスを改質して上記燃料ガスを生成する改質器（３）と、
上記改質器に供給される上記原燃料ガスが流れるガス供給流路（１１）と、
上記アノードから排出されるアノードオフガスが流れるガス排出流路（１２）と、
上記ガス排出流路と上記ガス供給流路とを接続する循環流路（４）と、
上記原燃料ガスを駆動流として上記循環流路から上記アノードオフガスを吸引し、上記ガス供給流路に循環させるエジェクタ（５）と、
上記原燃料ガスの供給源（１０、１０Ａ、１０Ｂ）から上記ガス供給流路へ供給される上記原燃料ガスの少なくとも一部を含み上記エジェクタを通過して上記駆動流を形成する駆動ガスの流量を調整する流量調整部（６）と、
上記供給源と上記エジェクタとの間に設けられ、上記エジェクタのノズル部（５１）に上記駆動ガスを送り込むブロア（７）と、を備えており、
上記流量調整部は、上記燃料電池本体の発電出力の変化量である発電出力変化量（ΔＱ）と、上記ブロアの駆動電力の変化量であるブロア電力変化量（ΔＷ）とをそれぞれ検出し、上記発電出力変化量と上記ブロア電力変化量との差（ΔＱ−ΔＷ）がより大きくなるように、上記駆動ガスの流量を調整する制御部（６１）を備える、燃料電池システム（１）にある。
【手続補正３】
【補正対象書類名】明細書
【補正対象項目名】００２５
【補正方法】変更
【補正の内容】
【００２５】
循環流路４から吸引部５２に吸引されるアノードオフガスの流量（以下、適宜、循環流量と称する）は、駆動流の流量（以下、適宜、駆動流量と称する）に応じて変化する。このとき、駆動流量が増加するほど、循環流量も増加するので（すなわち、駆動流量の増量≒循環流量の増量）、流量調整弁１５の弁開度を変更して、駆動流量を増減することにより、循環流量を増減することができる。
【手続補正４】
【補正対象書類名】明細書
【補正対象項目名】００４２
【補正方法】変更
【補正の内容】
【００４２】
図９に示す時点Ｃにおいて、ΔＱ≦ΔＷとなった場合には、流量切替信号が出力され、循環流量が増加する方向の流量切替信号が出力される（図中に点線で示す）。これにより、駆動流路１３の流量が減少し、迂回流路１４の流量が増加するので、ブロア電力Ｗを低減することができる。ブロア電力Ｗ及び発電出力Ｑの変化がない場合には（図中に実線で示す）、流量切替信号は出力されない。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
フッ化ビニリデンに由来する第１の構成単位と、
イソシアネート基、または、２００℃で１時間加熱したときにイソシアネート基を生成する構造、を有する第２の構成単位と、
を有するフッ化ビニリデン共重合体を含む、非水電解質二次電池のバインダー組成物であって、
前記フッ化ビニリデン共重合体は、２００℃で１時間加熱した後の前記フッ化ビニリデン共重合体を測定して得られた赤外分光スペクトル（ＩＲスペクトル）から算出される、イソシアネート基の伸縮振動に由来の吸光度と、Ｃ−Ｈの伸縮振動に由来の吸光度と、の比が０．１０以上３０以下の共重合体である、バインダー組成物。
【請求項２】
前記フッ化ビニリデン共重合体は、前記第２の構成単位が一般式（１）で示されるモノマーに由来する構造を有する共重合体である、請求項１に記載のバインダー組成物。
【化１】
2019160675.tif 000001
（一般式（１）中、Ｒ１、Ｒ２およびＲ３は、独立して、水素原子、フッ素原子、塩素原子、または、炭素数が１以上５以下である、部分的にフッ素原子または塩素原子で置換されていてもよい直鎖状または分岐鎖状のアルキル基を示し、Ｘは、炭素原子数および酸素原子数の合計が１以上１８以下であり、分子量が４５８以下である原子団を示す。）
【請求項３】
前記フッ化ビニリデン共重合体は、前記第２の構成単位が一般式（２）で示されるモノマーに由来する構造を有する共重合体である、請求項１に記載のバインダー組成物。
【化２】
2019160675.tif 000002
（一般式（２）中、Ｒ４、Ｒ５およびＲ６は、独立して、水素原子、フッ素原子、塩素原子、または、炭素数が１以上５以下である、部分的にフッ素原子または塩素原子で置換されていてもよい直鎖状または分岐鎖状のアルキル基を示し、Ｙは、炭素原子数および酸素原子数の合計が１以上１８以下であり、分子量が４５８以下である原子団を示し、Ｚは、酸素原子、硫黄原子および窒素原子からなる群から選択される原子を含む、分子量が２００以下の原子団であり、Ｚの解離によりイソシアネート基を生成させる構造を示す。）
【請求項４】
前記フッ化ビニリデン共重合体は、前記第１の構成単位と前記第２の構成単位との合計量を１００モル％としたときの、前記第２の構成単位の含有量が、０．０１モル％以上１０モル％以下の共重合体である、請求項１〜３のいずれか１項に記載のバインダー組成物。
【請求項５】
前記フッ化ビニリデン共重合体は、インヘレント粘度が０．５ｄｌ／ｇ以上５．０ｄｌ／ｇ以下の共重合体である、請求項１〜４のいずれか１項に記載のバインダー組成物。
【請求項６】
請求項１〜５のいずれか１項に記載のバインダー組成物と、電極活物質と、を含む、非水電解質二次電池用電極を製造するための合剤。
【請求項７】
集電体と、前記集電体の表面に形成された電極合剤層と、を有し、
前記電極合剤層は、請求項１〜５のいずれか１項に記載のバインダー組成物と、電極活物質と、を含む、非水電解質二次電池用の電極。
【請求項８】
請求項７に記載の非水電解質二次電池用の電極を有する、非水電解質二次電池。
【手続補正２】
【補正対象書類名】明細書
【補正対象項目名】００５０
【補正方法】変更
【補正の内容】
【００５０】
上記ブロック剤としてのアミン系化合物の例には、ジフェニルアミン、アニリン、カルバゾール、ジ−ｎ−プロピルアミン、ジイソプロピルアミン、イソプロピルエチルアミン、ジイソブチルアミン、ジ（２−ブチルアミン）、ジ（ｔ−ブチル）アミン、ジシクロヘキシルアミン、Ｎ−ｔ−ブチルシクロヘキシルアミン、２−メチルピペリジン、２，６−ジメチルピペリジン、および２，２，６，６−テトラメチルピペリジンなどが含まれる。
【手続補正３】
【補正対象書類名】明細書
【補正対象項目名】００６５
【補正方法】変更
【補正の内容】
【００６５】
上記インヘレント粘度（ηｉ）は、フッ化ビニリデン共重合体（Ａ）をＮ−メチルピロリドン（ＮＭＰ）に溶解させた溶液の３０℃における粘度（η）、ＮＭＰの３０℃における粘度（η０）、および上記溶液におけるフッ化ビニリデン共重合体（Ａ）の濃度（Ｃ）から、以下の式により求めることができる。
ηｉ＝（１／Ｃ）・ｌｎ（η／η０）
【手続補正４】
【補正対象書類名】明細書
【補正対象項目名】０１２７
【補正方法】変更
【補正の内容】
【０１２７】
２−２．インヘレント粘度（ηｉ）
８０ｍｇの上記得られた各（共）重合体を、２０ｍＬのＮ−メチルピロリドン（ＮＭＰ）に溶解して（共）重合体溶液を得た。ウベローテ粘度計を用いて、３０℃の恒温槽内における、（共）重合体溶液の粘度およびＮＭＰの粘度を測定し、以下の式によりインヘレント粘度を算出した。
ηｉ＝（１／Ｃ）・ｌｎ（η／η０）
なお、ηは上記測定された（共）重合体溶液の粘度、η０は上記測定されたＮＭＰの粘度、Ｃは上記（共）重合体溶液における（共）重合体の濃度であり、ここでは０．４（ｇ／ｄｌ）である。
【手続補正書】
【提出日】令和2年3月6日(2020.3.6)
【手続補正１】
【補正対象書類名】明細書
【補正対象項目名】００３６
【補正方法】変更
【補正の内容】
【００３６】
以上のように構成された本願記載の第１実施形態に係るマイクロスイッチ２の機能について説明する。図６は、本願記載のマイクロスイッチ２の断面の一部の例を拡大して示す概略拡大断面図である。図６は、マイクロスイッチ２の接点室２４を中心に拡大した断面であり、押下部材２１の位置及び他の部材との関係を認識し易いように模式的に示している。図６（ａ）は、押下部材２１が外部から押圧を受けておらず上側にいる状態を示しており、図６（ｂ）は、押下部材２１が外部から押圧されて下側にいる状態を示している。
【手続補正２】
【補正対象書類名】明細書
【補正対象項目名】００４３
【補正方法】変更
【補正の内容】
【００４３】
図８は、本願記載のマイクロスイッチ２の断面の一部の例を拡大して示す概略拡大断面図である。図８は、マイクロスイッチ２の接点室２４を中心に拡大した断面であり、押下部材２１の位置及び他の部材との関係を認識し易いように模式的に示している。図８（ａ）は、押下部材２１が外部から押圧を受けておらず上側にいる状態を示しており、図８（ｂ）は、押下部材２１が外部から押圧されて下側にいる状態を示している。